(57)【特許請求の範囲】
【請求項１】
筐体と、
副走査方向に記録紙を搬送する記録紙搬送機構と、
筐体内部に設けられ、副走査方向に直交する主走査方向に立設されたパネル状のキャリアフレームを有する金属製のシャーシと
前記キャリアフレームの前方に、主走査方向が長手方向となるように、前記シャーシに固定されたシャフトと、
インクをノズルから吐出させて前記記録紙に画像を形成するプリントヘッドが搭載され、前記シャフトに摺動自在に嵌合され主走査方向に往復移動されるキャリアと、
前記キャリアに駆動力を与えてこのキャリアを主走査方向に往復移動させる駆動機構と、
前記キャリアフレームの上方に取り付けられており、前記記録紙搬送機構及び駆動機構の動作を制御する制御回路が搭載された回路基板と、
前記キャリアと回路基板とを信号を伝達可能に接続するＦＦＣ（Flat Flexible Cable）と、
前記キャリアフレームの背面側に、略水平軸により回動自在に軸支された記録紙検知レバーとを備え、
前記記録紙検知レバーは、上端が前記回路基板近傍に位置し、下端が前記キャリアフレームの下方に位置するように配されており、下端が前記記録紙搬送機構により搬送される記録紙の端部と当接することにより回動するように構成されており、
前記キャリアフレームには、前記ＦＦＣが貫通する貫通孔が設けられており、
前記ＦＦＣは、前記回路基板に接続された一端から下方に、前記キャリアフレームの背面側に敷設され、前記キャリアフレームの背面と前記記録紙検知レバーとの間を略水平方向に通過し、前記貫通孔を貫通してキャリアフレーム前面側に敷設され、他端で前記キャリアに接続されているインクジェットプリンタにおいて、
前記キャリアフレームは、
前記ＦＦＣの、前記回路基板に接続された部位から前記記録紙検知レバーの近傍までの部位が敷設される部位の上下それぞれに、前記キャリアフレームを貫通するように、略水平方向に細長く形成された切り欠き部と、
前記切り欠き部が設けられることにより略水平方向両端部で前記キャリアフレームと一体に接続され、前記キャリアフレームの背面から前面に向け、前記ＦＦＣを折り返したときの折り返し部の厚み寸法より深さ寸法が大きくなるように押し出された嵌め込み部と、
前記嵌め込み部の上方に、前記キャリアフレームと一体に形成されており、前記ＦＦＣがキャリアフレームの背面から浮き上がる方向に変位しないように、上下方向に敷設されたＦＦＣの両側端部を保持する保持片とを有しており、
前記嵌め込み部の下方の切り欠き部は、前記嵌め込み部の、前記記録紙検知レバーが配置されている側の端部近傍の上下方向の寸法が、前記嵌め込み部の前記記録紙検知レバーから離れた部位の上下方向の寸法より大きくなるように、かつ、前記ＦＦＣの幅寸法よりも大きくなるように、キャリアフレーム背面側から見てクランク形状に折れ曲がるように形成されており、
前記ＦＦＣは、
前記回路基板に接続された部位から、前記保持片により保持された状態で上下方向に敷設され、
前記嵌め込み部の前記記録紙検知レバーから離れた部位で、前記記録紙検知レバーに向けて略水平方向に敷設されるように折り返され、
その折り返し部及び折り返し部から前記記録紙検知レバーに向けて敷設される部位が、前記嵌め込み部の上下方向の寸法が小さい部位の、前記嵌め込み部の下方の切り欠き部の前記嵌め込み部の背面と前記キャリアフレームの前面とで形成された隙間に挟まれ、前記嵌め込み部の上下方向の幅寸法が広い端部から前記記録紙検知レバーに向けて、前記キャリアフレームの背面に沿うように敷設されており、
これにより、前記ＦＦＣが前記キャリアフレームの背面から浮き上がることを防止し、前記記録紙検知レバーに接触することを防止したことを特徴とするインクジェットプリンタ。
【請求項２】
筐体と、
副走査方向に記録紙を搬送する記録紙搬送機構と、
筐体内部に設けられ、副走査方向に直交する主走査方向に立設されたパネル状のキャリアフレームを有する金属製のシャーシと
前記キャリアフレームの前方に、主走査方向が長手方向となるように、前記シャーシに固定されたシャフトと、
インクをノズルから吐出させて前記記録紙に画像を形成するプリントヘッドが搭載され、前記シャフトに摺動自在に嵌合され主走査方向に往復移動されるキャリアと、
前記キャリアに駆動力を与えてこのキャリアを主走査方向に往復移動させる駆動機構と、
筐体内部に配され、前記記録紙搬送機構及び駆動機構の動作を制御する制御回路が搭載された回路基板と、
前記キャリアと回路基板とを信号を伝達可能に接続するＦＦＣ（Flat Flexible Cable）とを備え、
前記キャリアフレームには、前記ＦＦＣが貫通する貫通孔が設けられており、
前記ＦＦＣは、前記回路基板に接続された一端から前記キャリアフレームの背面側に敷設され、前記貫通孔を貫通してキャリアフレーム前面側に敷設され、他端で前記キャリアに接続されているインクジェットプリンタにおいて、
前記キャリアフレームは、前記ＦＦＣがキャリアフレーム背面側で敷設される部位の近傍に、前記キャリアフレームを貫通するように形成された切り欠き部と、前記切り欠き部が設けられることにより少なくとも一端部で前記キャリアフレームと一体に接続され、前記キャリアフレームの背面から前面側に向け、少なくとも前記ＦＦＣの厚み寸法より深さ寸法が大きくなるように押し出された嵌め込み部を有しており、
前記ＦＦＣの前記キャリアフレームの背面側に敷設された一部の部位は、前記切り欠き部の、前記嵌め込み部の背面と前記キャリアフレームの前面とで形成された隙間に挟まれた状態で敷設されていることを特徴とするインクジェットプリンタ。
【請求項３】
前記切り欠き部は、少なくとも前記嵌め込み部の前記貫通孔側の端部の、前記ＦＦＣの幅方向に対応する方向の寸法が、前記嵌め込み部の他の部位の、前記ＦＦＣの幅方向に対応する方向の寸法より大きくなるように、かつ、前記ＦＦＣの幅寸法よりも大きくなるように形成されていることを特徴とする請求項２に記載のインクジェットプリンタ。
【発明の詳細な説明】
【技術分野】
【０００１】
本発明は、回路基板にＦＦＣ（Flat Flexible Cable）を介して接続されているキャリアを主走査方向に往復移動させて記録紙に画像を形成するインクジェットプリンタに関する。
【背景技術】
【０００２】
一般に、インクジェットプリンタにおいては、インクを吐出するプリントヘッドを搭載するキャリアを記録紙の搬送方向と直交する主走査方向に往復移動させながら、記録紙に画像を形成する。キャリアは、例えば筐体内部の主走査方向に沿って設けられたシャフトに沿って移動するように構成されている。このようなインクジェットプリンタにおいては、往復移動するキャリアと制御回路を搭載する回路基板とは、制御回路からプリントヘッドに制御信号を伝達するためのＦＦＣ（Flat Flexible Cable）で接続されている（例えば、特許文献１参照）。このＦＦＣは、キャリアフレームの背面側から前面側に、キャリアフレームのキャリア近傍の所定部位に形成された貫通部を貫通するようにして敷設されている。すなわち、このＦＦＣの、回路基板からキャリアフレームの貫通部までの部位が、キャリアフレームの背面に沿うように敷設され、その貫通部からキャリアまでの部位が、キャリアフレームの前面側に、所定量のたるみを有するように敷設されている。ＦＦＣは、キャリアフレームの背面側に浮き上がったり、前面側のたるみ量が変化して遊んだりしないように、貫通部において保持部材によりキャリアフレームに固定されている。これにより、キャリアの移動によりＦＦＣが筐体内部の他の部材に引っ掛かったりして損傷することがないように構成されている。
【０００３】
ところで、このようなインクジェットプリンタでは、ＦＦＣのキャリアフレームの背面側の、保持部材により固定された部位から離れた部位でも、ＦＦＣがキャリアフレームの背面から浮き上がることがある。ＦＦＣが浮き上がったりすると、ＦＦＣが、例えばキャリアフレームの背面側に回動自在に軸支されている記録紙検出レバー等の他の部材に当接し、ＦＦＣが断線する等して損傷したり、他の部材の動作を妨げてしまったりすることがある。ＦＦＣが損傷したり、他の部材に緩衝したりすると、正常に画像形成動作を行うことができなくなってしまうという不具合が生じる。これを防止するためには、例えばキャリアフレームの背面に、ＦＦＣを押さえつける保持部材を追加して取付けたりテープ等を用いたりしてＦＦＣを固定しなければならず、部品コストや組み立てコストが増加し、インクジェットプリンタの製造コストが増加してしまう。
【０００４】
なお、特許文献２には、ＦＦＣを、キャリアの一部に設けられたケーブル保持手段とそのケーブル保持手段に設けられたケーブル抑え手段との間に挟みこんだ状態でキャリアに保持し、外部から衝撃が加わってもＦＦＣの保持が容易には解除されないようにしたインクジェットプリンタが記載されている。しかしながら、特許文献２には、ＦＦＣのキャリアに取り付ける部位の構造は記載されているが、ＦＦＣのキャリアフレームの背面からの浮き上がりを防止するための構造等は記載されていない。
【特許文献１】実登３０６９３０４号公報
【特許文献２】特開平６−１９９００９号公報
【発明の開示】
【発明が解決しようとする課題】
【０００５】
本発明は、上記問題点を鑑みてなされたものであり、ＦＦＣを、キャリアフレームの背面から浮き上がらないように、容易にキャリアフレーム背面に敷設可能であり、ＦＦＣの損傷を防止可能であり、製造コストを低減可能なインクジェットプリンタを提供することを目的とする。
【課題を解決するための手段】
【０００６】
上記目的を達成するため請求項１の発明は、筐体と、副走査方向に記録紙を搬送する記録紙搬送機構と、筐体内部に設けられ、副走査方向に直交する主走査方向に立設されたパネル状のキャリアフレームを有する金属製のシャーシと前記キャリアフレームの前方に、主走査方向が長手方向となるように、前記シャーシに固定されたシャフトと、インクをノズルから吐出させて前記記録紙に画像を形成するプリントヘッドが搭載され、前記シャフトに摺動自在に嵌合され主走査方向に往復移動されるキャリアと、前記キャリアに駆動力を与えてこのキャリアを主走査方向に往復移動させる駆動機構と、前記キャリアフレームの上方に取り付けられており、前記記録紙搬送機構及び駆動機構の動作を制御する制御回路が搭載された回路基板と、前記キャリアと回路基板とを信号を伝達可能に接続するＦＦＣ（Flat Flexible Cable）と、前記キャリアフレームの背面側に、略水平軸により回動自在に軸支された記録紙検知レバーとを備え、前記記録紙検知レバーは、上端が前記回路基板近傍に位置し、下端が前記キャリアフレームの下方に位置するように配されており、下端が前記記録紙搬送機構により搬送される記録紙の端部と当接することにより回動するように構成されており、前記キャリアフレームには、前記ＦＦＣが貫通する貫通孔が設けられており、前記ＦＦＣは、前記回路基板に接続された一端から下方に、前記キャリアフレームの背面側に敷設され、前記キャリアフレームの背面と前記記録紙検知レバーとの間を略水平方向に通過し、前記貫通孔を貫通してキャリアフレーム前面側に敷設され、他端で前記キャリアに接続されているインクジェットプリンタにおいて、前記キャリアフレームは、前記ＦＦＣの、前記回路基板に接続された部位から前記記録紙検知レバーの近傍までの部位が敷設される部位の上下それぞれに、前記キャリアフレームを貫通するように、略水平方向に細長く形成された切り欠き部と、前記切り欠き部が設けられることにより略水平方向両端部で前記キャリアフレームと一体に接続され、前記キャリアフレームの背面から前面側に向け、前記ＦＦＣを折り返したときの折り返し部の厚み寸法より深さ寸法が大きくなるように押し出された嵌め込み部と、前記嵌め込み部の上方に、前記キャリアフレームと一体に形成されており、前記ＦＦＣがキャリアフレームの背面から浮き上がる方向に変位しないように、上下方向に敷設されたＦＦＣの両側端部を保持する保持片とを有しており、前記嵌め込み部の下方の切り欠き部は、前記嵌め込み部の、前記記録紙検知レバーが配置されている側の端部近傍の上下方向の寸法が、前記嵌め込み部の前記記録紙検知レバーから離れた部位の上下方向の寸法より大きくなるように、かつ、前記ＦＦＣの幅寸法よりも大きくなるように、キャリアフレーム背面側から見てクランク形状に折れ曲がるように形成されており、前記ＦＦＣは、前記回路基板に接続された部位から、前記保持片により保持された状態で上下方向に敷設され、前記嵌め込み部の前記記録紙検知レバーから離れた部位で、前記記録紙検知レバーに向けて略水平方向に敷設されるように折り返され、その折り返し部及び折り返し部から前記記録紙検知レバーに向けて敷設される部位が、前記嵌め込み部��上下方向の寸法が小さい部位の、前記嵌め込み部の下方の切り欠き部の前記嵌め込み部の背面と前記キャリアフレームの前面とで形成された隙間に挟まれ、前記嵌め込み部の上下方向の幅寸法が広い端部から前記記録紙検知レバーに向けて、前記キャリアフレームの背面に沿うように敷設されており、これにより、前記ＦＦＣが前記キャリアフレームの背面から浮き上がることを防止し、前記記録紙検知レバーに接触することを防止したものである。
【０００７】
請求項２の発明は、筐体と、副走査方向に記録紙を搬送する記録紙搬送機構と、筐体内部に設けられ、副走査方向に直交する主走査方向に立設されたパネル状のキャリアフレームを有する金属製のシャーシと前記キャリアフレームの前方に、主走査方向が長手方向となるように、前記シャーシに固定されたシャフトと、インクをノズルから吐出させて前記記録紙に画像を形成するプリントヘッドが搭載され、前記シャフトに摺動自在に嵌合され主走査方向に往復移動されるキャリアと、前記キャリアに駆動力を与えてこのキャリアを主走査方向に往復移動させる駆動機構と、筐体内部に配され、前記記録紙搬送機構及び駆動機構の動作を制御する制御回路が搭載された回路基板と、前記キャリアと回路基板とを信号を伝達可能に接続するＦＦＣ（Flat Flexible Cable）とを備え、前記キャリアフレームには、前記ＦＦＣが貫通する貫通孔が設けられており、前記ＦＦＣは、前記回路基板に接続された一端から前記キャリアフレームの背面側に敷設され、前記貫通孔を貫通してキャリアフレーム前面側に敷設され、他端で前記キャリアに接続されているインクジェットプリンタにおいて、前記キャリアフレームは、前記ＦＦＣがキャリアフレーム背面側で敷設される部位の近傍に、前記キャリアフレームを貫通するように形成された切り欠き部と、前記切り欠き部が設けられることにより少なくとも一端部で前記キャリアフレームと一体に接続され、前記キャリアフレームの背面から前面側に向け、少なくとも前記ＦＦＣの厚み寸法より深さ寸法が大きくなるように押し出された嵌め込み部を有しており、前記ＦＦＣの前記キャリアフレームの背面側に敷設された一部の部位は、前記切り欠き部の、前記嵌め込み部の背面と前記キャリアフレームの前面とで形成された隙間に挟まれた状態で敷設されているものである。
【０００８】
請求項３の発明は、請求項２の発明において、前記切り欠き部は、少なくとも前記嵌め込み部の前記貫通孔側の端部の、前記ＦＦＣの幅方向に対応する方向の寸法が、前記嵌め込み部の他の部位の、前記ＦＦＣの幅方向に対応する方向の寸法より大きくなるように、かつ、前記ＦＦＣの幅寸法よりも大きくなるように形成されているものである。
【発明の効果】
【０００９】
請求項１の発明によれば、ＦＦＣのうち、記録紙検知レバーに向けて略水平方向に折り返された折り返し部が、嵌め込み部の背面とキャリアフレームの前面とで形成された隙間に挟まれているので、ＦＦＣがキャリアフレームの背面から浮き上がることが防止される。このとき、ＦＦＣは、嵌め込み部の下方の切り欠き部の、上下方向の寸法が大きい部位より記録紙検知レバーに向けて敷設可能であるので、ＦＦＣを、より確実にキャリアフレームの背面に沿うようにした状態で、かつ、キャリアフレームから外れにくくなるように敷設することが可能になる。さらに、ＦＦＣは、その回路基板に接続された部位から上下方向に敷設される部位を保持片により保持させ、折り返し部を切り欠き部の隙間に挟み込むことにより敷設可能であるので、ＦＦＣをキャリアフレームの背面に沿うように敷設する作業を容易に行うことが可能であり、製造コストを低減することが可能である。そして、ＦＦＣの折り返し部は隙間に挟まれた状態であるので、他の部位よりも損傷しやすい折り返し部を断線しないように保護した状態で、ＦＦＣを敷設することが可能になる。従って、ＦＦＣの浮き上がりを抑えるための部材を用いることなく、ＦＦＣが記録紙検知レバーに接触して損傷することを防止することができ、インクジェットプリンタの製造コストも低減可能である。
【００１０】
請求項２の発明によれば、ＦＦＣを、そのキャリアフレームの背面側に敷設される部位の一部が嵌め込み部の背面とキャリアフレームの前面とで形成された切り欠き部の隙間に挟まれた状態で敷設可能であるので、ＦＦＣの浮き上がりを抑えるための部材を用いることなく、ＦＦＣの浮き上がりを防止することができる。また、ＦＦＣを、切り欠き部の隙間に挟み込むことにより、ＦＦＣの敷設作業を容易に行うことが可能である。従って、ＦＦＣがキャリアフレームの背面から浮き上がって損傷することを防止することができると共に、インクジェットプリンタの製造コストを低減可能である。
【００１１】
請求項３の発明によれば、切り欠き部が、嵌め込み部の貫通孔側の端部の、ＦＦＣの幅方向に対応する方向の寸法が、他の部位よりも大きくなるように形成されているので、ＦＦＣを、より確実にキャリアフレームの背面に沿うように、かつ、キャリアフレームから外れにくくなるように敷設することが可能になる。従って、ＦＦＣのキャリアフレームの背面からの浮き上がりをより確実に防止することが可能であり、ＦＦＣの損傷をより確実に防止することが可能である。
【発明を実施するための最良の形態】
【００１２】
以下、本発明の一実施形態について図面を参照して説明する。図１は、本実施形態に係るインクジェットプリンタを示す。このインクジェットプリンタ１は、インクを吐出するプリントヘッド３ａを有するインクカートリッジ３が搭載されたキャリア２を、主走査方向（図に矢印Ａで示す）に往復移動させることにより、主走査方向と直交する副走査方向（図に矢印Ｂで示す）に搬送される記録紙Ｐに画像を形成（プリント）するものである。このインクジェットプリンタ１は、筐体１１０の上部後方に、プリントされる記録紙Ｐを保持するための給紙トレイ１２０を有しており、また、筐体１１０の前面下方に、プリントされた記録紙Ｐを排出するための排紙トレイ１３０を有している。
【００１３】
このインクジェットプリンタ１の筐体１１０の内部には、図に示すように、主走査方向に立設されたパネル状のキャリアフレーム１１を有する金属製のシャーシ１０が設けられている。筐体１１０の内部には、キャリア２と、キャリア２に搭載されたインクカートリッジ３と、キャリアフレーム１１の前方でキャリア２の背面側に、主走査方向が長手方向となるように、キャリア２に固定されたシャフト４と、記録紙Ｐを搬送する記録紙搬送機構５と、キャリア２に駆動力を与えて往復移動させる駆動機構６と、キャリアフレーム１１に主走査方向に沿って配され、キャリア２の主走査方向の位置を検出するために用いられるエンコーダスケール７と、インクジェットプリンタ１の種々の動作を制御するための制御回路（図示せず）が搭載された回路基板８と、キャリア２と回路基板８とを信号を伝達可能に接続するＦＦＣ（Flat Flexible Cable）９とが設けられている。このインクジェットプリンタ１は、例えば外部のパーソナルコンピュータ（図示せず）等と接続されており、そのパーソナルコンピュータ等から送信されるデータ及びコマンド等に基いて、記録紙Ｐに画像を形成する機能を有している。
【００１４】
キャリア２は、インクカートリッジ３を挿脱自在に支持するものである。インクカートリッジ３の下面にはプリントヘッド３ａが設けられており、回路基板８の制御回路から送信される制御信号に応じて、そのインクカートリッジ３に封入されているインクを下方に向け吐出する。本実施形態において、インクカートリッジ３は、ブラックインクが封入されたものと、例えばシアン、マゼンタ、イエローの３色等のカラーインクが封入されたものとの２つがキャリア２に搭載されている。すなわち、このインクジェットプリンタ１は、記録紙Ｐにカラー画像を形成可能に構成されているものである。なお、プリントヘッド３ａは、キャリア２に設けられていてもよい。また、キャリア２に搭載されるインクカートリッジ３の構成はこれに限られるものではなく、例えばブラックインクとカラーインクが１つのカートリッジ３中に封入されているものであったり、カラーインクも各色毎に別個に封入されているものであったりしてもよい。このインクジェットプリンタ１は、キャリア２にブラックインクが封入されたインクカートリッジ３のみが搭載されており、グレースケール等の画像を形成するようなものであってもよい。
【００１５】
キャリア２は、シャフト４に摺動自在に嵌合されている。また、キャリア２は、後述するように駆動機構６のベルト６ａの一部分に接続されており、駆動機構６に駆動されシャフト４と摺動しながら主走査方向に移動可能に配置されている。キャリア２にはフォトカプラ（図示せず）が搭載されており、このフォトカプラが、所定の解像度を有するエンコーダスケール７上を走査することにより、キャリア２の主走査方向の位置を検出可能となるように構成されている。
【００１６】
駆動機構６は、例えば、インクジェットプリンタ１のシャーシ１０に主走査方向に沿って配された環状のベルト６ａと、キャリアフレーム１１に取り付けられており、このベルト６ａを回動させるＤＣモータ６ｂとを有している。ベルト６ａの一部分は、キャリア２の後方に接続されている。駆動機構６は、ＤＣモータ６ｂによりベルト６ａを回動させることによりキャリア２に駆動力を与え、キャリア２を主走査方向に往復移動させる。なお、駆動機構６はこの構成に限られるものではない。
【００１７】
図２及び図３は、キャリアフレーム１１の背面側を示す。また、図４は、キャリアフレーム１１の、ＦＦＣ９が敷設されている部位を示す。回路基板８は、キャリアフレーム１１の上部に略水平に取り付けられている。回路基板８に搭載されている制御回路は、例えば外部のパーソナルコンピュータ等で動作するデバイスドライバ等のソフトウェア等により制御されるものであり、記録紙搬送機構５、駆動機構６、及びプリントヘッド３ａ等を制御する。なお、この制御回路は、例えばインクジェットプリンタ１にユーザにより操作可能に設けられるような操作ボタン（図示せず）等がユーザ等により操作されることに応じて、所定の機能を動作させるように構成されていてもよい。回路基板８上には、制御回路の他に、ＦＦＣ９の一端が接続されるコネクタ８ａと、後述のように、記録紙の位置を検知するためのスイッチ８ｂ等とが設けられている。ＦＦＣ９は、図２及び図３に示すように、その端部（一端）９ａがコネクタ８ａに接続されて、キャリアフレーム１１の背面に向け敷設されている。
【００１８】
キャリアフレーム１１には、後述するようにＦＦＣ９を保持するためのケーブル保持部材２０と、キャリアフレーム１１の背面側に設けられた記録紙検知レバー３０とが取り付けられている。図に示すように、キャリアフレーム１１には、キャリアフレーム前面のキャリア２が設けられている位置と略同じ高さに形成され、ケーブル保持部材２０が取り付けられている貫通孔１１ａと、記録紙検知レバー３０を軸支するための軸支部１１ｂとが設けられている。
【００１９】
ケーブル保持部材２０は、例えば、樹脂により形成されており、キャリアフレーム１１の前面側から貫通孔１１ａに取り付けられるものである。ケーブル保持部材２０は、貫通孔１１ａの側縁部に係合する係合部２０ａと、後述するようにＦＦＣ９が巻回されるガイド部２０ｂと、ＦＦＣ９のガイド部２０ｂに巻回された部位の近傍におけるキャリアフレーム１１の背面側の部位をキャリアフレーム１１の背面に押し付ける背面ストッパ部２０ｃと、ＦＦＣ９のガイド部２０ｂに巻回された部位の近傍におけるキャリアフレーム１１の前面側の部位をキャリアフレーム１１の前面に押し付ける前面ストッパ部２０ｄとを有している。
【００２０】
記録紙検知レバー３０は、回動軸３０ａが略水平となるように、回動軸３０ａの両端がキャリアフレームの軸支部１１ｂに軸支された状態で、図３の矢印Ｒで示すように回動自在に取り付けられている。この記録紙検知レバー３０は、この回動軸３０ａから下方に向け突設された当接部３０ｂと、上方に向け突設された腕部３０ｃを有している。腕部３０ｃは、その先端部３０ｄが回路基板８近傍まで延設され、回路基板８のスイッチ８ｂと対応するように形成されている。当接部３０ｂは、筐体１１０の内部の、記録紙搬送機構５により搬送される記録紙Ｐの端部に当接するような位置に形成されている。すなわち、記録紙検知レバー３０は、記録紙Ｐが搬送され、記録紙Ｐの端部が当接部３０ｂに当接することで回動軸３０ａを中心として回動し、先端部３０ｄの変位によりスイッチ８ｂのオンオフを操作する。これにより、この記録紙検知レバー３０とスイッチ８ｂとで搬送される記録紙Ｐの端部の位置等を検知できるように構成されている。
【００２１】
ＦＦＣ９は、その端部（一端）９ａが回路基板８のコネクタ８ａに接続されている。ＦＦＣ９は、図３に示すように、端部９ａから下方に、キャリアフレーム１１の背面側に敷設されている。そして、貫通孔１１ａと略同じ高さとなる折り返し部９ｂにて、略水平方向に方向を変えて敷設されるように折り返され、キャリアフレーム１１の背面と記録紙検知レバー３０の腕部３０ｃとの間を通過して貫通孔１１ａまで敷設されている。ＦＦＣ９は、ケーブル保持部材２０に巻きつけるようにしてずれないように固定された状態で、貫通孔１１ａを通過してキャリアフレーム１１の背面側から前面側に敷設されている。ＦＦＣ９の固定は、ＦＦＣ９をケーブル保持部材２０のガイド部２０ｂに巻回した状態にし、ＦＦＣ９を背面ストッパ部２０ｃと前面ストッパ部２０ｄによりそれぞれキャリアフレーム１１の背面と前面に押し付けるような状態で、ケーブル保持部材２０を貫通孔１１ａに取り付けて行われる。ＦＦＣ９は、図４に示すように、貫通孔１１ａの近傍でケーブル保持部材２０により固定された部位から、キャリアフレーム１１の前面を沿うようにして、キャリア２の背部に接続されている。このとき、ＦＦＣ９のケーブル保持部材２０により固定されている部位とキャリア２に接続されている部位との間の長さは、キャリア２が主走査方向両端間を往復移動する際にも、キャリア２の移動を妨げない程度に長く設定されている。
【００２２】
このように、ＦＦＣ９により回路基板８とキャリア２とが接続されており、記録紙Ｐに画像を形成する際には、ＦＦＣ９を介して回路基板８からキャリア２に搭載されているプリントヘッド３ａに制御信号が送信される。すなわち、このインクジェットプリンタ１においては、記録紙搬送機構５により給紙トレイ１２０から筐体１１０内部に搬送される記録紙Ｐに、制御信号に応じて、プリントヘッド３ａから主走査方向に沿ってインクが吐出されることにより、記録紙Ｐに画像が形成される。記録紙Ｐは、画像が形成されると、記録紙搬送機構５により排紙トレイ１３０上に排出される。
【００２３】
ここで、本実施形態においては、ＦＦＣ９の折り返し部９ｂの近傍の部位がキャリアフレーム１１の背面に固定されており、ＦＦＣ９がキャリアフレーム１１の背面から浮き上がることがないように構成されている。これについて以下に説明する。
【００２４】
キャリアフレーム１１の、回路基板８のコネクタ８ａと対応する部位には、切り欠き部１２ａ，１２ｂと、この切り欠き部１２ａ，１２ｂが設けられることにより形成されている嵌め込み部１３と、嵌め込み部１３の上方でコネクタ８ａの下方に左右両側にキャリアフレーム１１と一体に設けられた保持片１５とが設けられている。この切り欠き部１２ａ，１２ｂ、嵌め込み部１３、及び保持片１５は、キャリアフレーム１１のＦＦＣ９が敷設される位置に対応するように設けられている。すなわち、図に示すように、切り欠き部１２ａ，１２ｂは、それぞれ、ＦＦＣ９が敷設される部位のうち、回路基板８に接続された部位から記録紙検知レバー３０の腕部３０ｃ近傍までの部位の上下に、キャリアフレーム１１を貫通するように形成されている。この切り欠き部１２ａ，１２ｂは、略水平方向に細長く形成されている。切り欠き部１２ａの上部には、ＦＦＣ９よりわずかに大きい幅寸法の切り欠きが形成されている。嵌め込み部１３は、切り欠き部１２ａ，１２ｂが設けられることにより、略水平方向両端部でキャリアフレーム１１と一体に接続された帯状に形成されている。この嵌め込み部１３は、キャリアフレーム１１の背面から前面に向け、ＦＦＣ９の折り返し部９ｂの厚み寸法よりも深さ寸法が大きくなるように押し出されている。これにより、嵌め込み部１３の背面とキャリアフレーム１１の前面により、折り返し部９ｂを挟み込み可能な隙間１４が形成されている。保持片１５は、図に示すように、嵌め込み部１３の上方の切り欠きの左右の側縁から、切り欠きの左右中央に向け突設するように、キャリアフレーム１１と一体に形成されている。すなわち、保持片１５は、ＦＦＣ９がキャリアフレーム１１の背面から浮き上がる方向に変位しないように、回路基板８から上下方向に敷設されたＦＦＣ９の両側端部を保持可能に構成されている。
【００２５】
また、本実施形態においては、嵌め込み部１３の、ＦＦＣ９が略水平方向に敷設されるほうの第１の端部１３ａ、すなわち記録紙検知レバー３０が配置されている側の端部の近傍の上下方向の寸法が、ＦＦＣ９の幅寸法よりも大きくなるように形成されている。そして、図２に示すように、嵌め込み部１３の下方の切り欠き部１２ｂは、嵌め込み部１３の第１の端部１３ａの近傍の上下方向の寸法が、嵌め込み部１３の記録紙検知レバーから離れた部位の上下方向の寸法より大きくなるように、キャリアフレーム１１の背面側から見てクランク形状に略直角に折れ曲がるように形成されている。換言すると、切り欠き部１２ｂは、嵌め込み部１３の第１の端部１３ａの上下方向の寸法が、第１の端部と反対側の第２の端部１３ｂの上下方向の寸法よりも大きくなるように形成されている。
【００２６】
図３に示すように、ＦＦＣ９は、回路基板８のコネクタ８ａに接続された端部９ａから、保持片１５により保持されるように、切り欠き部１２ａの上方の切り欠きに沿って上下方向に敷設されている。そして、折り返し部９ｂの下部が、嵌め込み部１３の、上下方向の寸法が小さい部位の隙間１４に嵌め込まれた状態で、嵌め込み部１３の第１の端部１３ａに向けて略水平方向に敷設されている。そして、ＦＦＣ９は、記録紙検知レバー３０に向け、第１の端部１３からキャリアフレーム１１の背面に沿うように引き出されて敷設されている。
【００２７】
上述のように、このインクジェットプリンタ１では、ＦＦＣ９の折り返し部９ｂが、嵌め込み部１３の背面とキャリアフレーム１１の前面とで形成された隙間１４に挟まれているので、ＦＦＣ９がキャリアフレーム１１の背面から浮き上がることが防止される。また、このとき、ＦＦＣ９は、嵌め込み部１３の、上下方向の寸法が大きい第１の端部１３ａから記録紙検知レバー３０に向けて敷設されているので、ＦＦＣ９が、より確実にキャリアフレーム１１の背面に沿うようにした状態で、かつ、キャリアフレーム１１から外れにくくなっている。さらにまた、ＦＦＣ９は、コネクタ８ａに接続された端部９ａから上下方向に敷設される部位を保持片１５により保持させ、折り返し部９ｂを隙間１４に挟み込むことにより敷設されているので、ＦＦＣ９をキャリアフレーム１１の背面に沿うように敷設する作業を容易に行うことが可能であり、製造コストを低減することが可能である。そして、ＦＦＣ９の折り返し部９ｂは隙間１４に挟み込まれた状態であるので、ＦＦＣ９の他の部位よりも損傷しやすい折り返し部９ｂを断線しないように保護した状態で、ＦＦＣ９を敷設することが可能になる。従って、ＦＦＣ９の浮き上がりを抑えるための部材を用いることなく、ＦＦＣ９が記録紙検知レバー３０等の他の部材に接触して損傷することを防止することができ、インクジェットプリンタ１の製造コストも低減可能である。
【００２８】
なお、本発明は上記実施形態の構成に限定されるものではなく、発明の趣旨を変更しない範囲で適宜に種々の変形が可能である。例えば、回路基板８の配置や切り欠き部１２ａ，１２ｂや嵌め込み部１３の形状等はこれに限られるものではなく、回路基板８がキャリアフレーム１１の側方に取り付けられているものであったり、ＦＦＣ９が折り返し部９ｂを有さずそのまま隙間１４に保持されるように嵌め込み部１３や切り欠き部１２ａ，１２ｂ等が形成されていたり、また、保持片１５が設けられていなくてもよい。すなわち、ＦＦＣ９のキャリアフレーム１１の背面側に敷設される部位の一部を、嵌め込み部１３の背面とキャリアフレーム１１の前面とで形成される隙間１４に挟みこんだ状態で、ＦＦＣ９を敷設可能に構成すればよく、これにより、キャリアフレーム１１の背面側でのＦＦＣ９の浮き上がりが防止され、キャリアフレーム１１の背面側にある他の部材とＦＦＣ９とが接触することがなくなり、ＦＦＣ９の損傷を防止することができると共に、インクジェットプリンタ１の製造コストを低減することができる。
【図面の簡単な説明】
【００２９】
【図１】本発明の一実施形態に係るインクジェットプリンタの一例を示す側面図。
【図２】同上プリンタのキャリアフレームの背面側を示す斜視図。
【図３】同上プリンタのキャリアフレームの背面側を示す斜視図。
【図４】同上キャリアフレームのＦＦＣが敷設された部位を示す図２のＳ−Ｓ線における断面図。
【符号の説明】
【００３０】
１  インクジェットプリンタ
２  キャリア
３ａ  プリントヘッド
４  シャフト
５  記録紙搬送機構
６  駆動機構
８  回路基板
９  ＦＦＣ（Flat Flexible Cable）
９ａ  （回路基板に接続された）端部
９ｂ  折り返し部
１０  シャーシ
１１キャリアフレーム
１１ａ  貫通孔
１２ａ，１２ｂ  切り欠き部
１３  嵌め込み部
１４  隙間
１５  保持片
３０  記録紙検知レバー
１１０  筐体
Ａ  主走査方向
Ｂ  副走査方向
Ｐ  記録紙
【図１】
0004713389.tif 000002
【図２】
0004713389.tif 000003
【図３】
0004713389.tif 000004
【図４】
0004713389.tif 000005